(57)【特許請求の範囲】
【請求項１】
予め内蔵された複数の機能部を制御する制御部と、
ユーザによりインストールされ、前記各機能部の制御時に利用する可能性の度合いを示す関連度を含んだ複数のアプリケーションを記憶する携帯装置と接続可能な外部接続インタフェースと、
前記携帯装置に記憶された前記アプリケーションを実行するアプリケーション実行部と、
を備える車載装置において、
前記外部接続インタフェースに前記携帯装置が接続されているか否かを検出する携帯装置検出部と、
前記携帯装置検出部により前記携帯装置を検出したとき、前記携帯装置から前記複数のアプリケーションに含まれる関連度を読み出して記憶する記憶部と、
前記制御部で制御されている機能部の制御画面を表示する表示部と、
少なくとも前記携帯装置に記憶された前記複数のアプリケーションの選択画面表示を指示する操作部と、
前記制御画面表示中に、前記操作部より前記携帯装置に記憶する前記複数のアプリケーションの選択画面表示が指示されたとき、前記制御画面を表示している機能部に対する関連度を前記記憶部から取得し、該機能部に対する関連度が高いアプリケーションを優先表示するアプリケーション選択画面を生成する画面生成部と、
前記アプリケーション選択画面を前記表示部に表示する表示制御部と、
を備えることを特徴とする車載装置。
【請求項２】
前記複数のアプリケーションには、アイコンデータが含まれており、
前記アプリケーション選択画面は、前記携帯装置に記憶される前記各アプリケーションに対するアイコンの配列で表される、
ことを特徴とする請求項１記載の車載装置。
【請求項３】
前記画面生成部は、ユーザ操作に応じて順次表示される複数のページから構成された前記アプリケーション選択画面を生成すると共に、該機能部に対する関連度が高いアプリケーションのアイコンを第１番目に表示されるページに配列し、関連度が低いアプリケーションのアイコンを、第２番目以降に表示されるページに配列する、
ことを特徴とする請求項２記載の車載装置。
【請求項４】
前記画面生成部は、ユーザ操作に応じて順次表示される複数のページから構成された前記アプリケーション選択画面を生成すると共に、該機能部に対する関連度が高いアプリケーションのアイコンを各ページに設けた所定の領域に共通に配置し、関連度が低いアプリケーションのアイコンを、各ページの前記所定の領域以外の領域に配列する、
ことを特徴とする請求項３記載の車載装置。
【発明の詳細な説明】
【技術分野】
【０００１】
本発明は、車載装置に係り、特に予め内蔵された複数の機能部と、ユーザによりインストール可能な複数のアプリケーションとを制御可能な車載装置に関する。
【背景技術】
【０００２】
近年、携帯電話（特にスマートフォン）に代表される、通信機能を有し、持ち運びが可能な情報端末には、ユーザが情報端末で使うアプリケーションを、ダウンロードサイト等を用いて検索し、ネットワーク経由にてダウンロードし、情報端末へ保存して、実行する機能が採用されている。これまでの情報端末では、出荷時に搭載されたアプリケーションしか利用可能でなかったが、この機能によりユーザは各自の嗜好に合わせ、個々に必要なアプリケーションをダウンロードし、実行することが可能となった（特許文献１参照）。
このような技術は、カーナビゲーションシステムに代表される車載装置においても、適用されつつある。また、情報端末に記憶したアプリケーションを情報端末に接続した車載装置で利用することも可能となっている。
【０００３】
このような情報端末や車載装置において、ユーザが利用したいアプリケーションを選択するときは、まず、所定操作により、アプリケーションの選択画面を表示させる。その後、このアプリケーション選択画面から所望のアプリケーションを選択することで、選択されたアプリケーションが起動し、実行することができるようになっている。
このとき、情報端末や車載装置に多数のアプリケーションが記憶されていると、アプリケーション選択画面に表示されるアプリケーションの数が多いので、ユーザが利用したいアプリケーションを探し出すのに時間がかかるという問題があった。この問題に対し、従来、様々なアプリケーション選択画面の表示技術が考えられている。
【０００４】
例えば、特許文献２には、ユーザへの利用を推奨する推奨度合いを各アプリケーションの利用頻度などの情報から求め、その推奨度合いに応じて各アプリケーションに優先順位を付けて表示する携帯端末が開示されている。
また、本願出願人は、携帯装置に記憶されているアプリケーションを、携帯装置を接続した車載装置で利用する際に、車の状態（走行中、停車中など）に応じて、各アプリケーションに優先順を付けて表示する車載装置を先行出願している（特願２０１０−２３０３３９）。
【先行技術文献】
【特許文献】
【０００５】
【特許文献１】特開２００４−３６４１３８号公報
【特許文献２】特開２００６−３１３４８６号公報
【発明の概要】
【発明が解決しようとする課題】
【０００６】
しかし、ユーザが車載装置で車載装置内または携帯端末内にインストールされたアプリケーションを利用する場合は、現在、制御・表示処理されている車載装置内の機能部（ナビゲーション部、オーディオ部など）と関連性が強いアプリケーションを使用する傾向がある。
例えば、ナビゲーション部で施設検索中の場合、アプリケーションを実行して、検索した施設の口コミ情報を確認することが考えられる。また、オーディオ部で楽曲再生中の場合、アプリケーションを実行して、その楽曲に対する歌詞を閲覧することが考えられる。すなわち、現在制御している機能部に応じて、ユーザが利用したいアプリケーションが異なる。しかし、上記記載の特許文献や先行出願の発明では、そのような状況を考慮しておらず、アプリケーションを名称順に並べたアプリケーション選択画面や、利用頻度の高いアプリケーションを優先表示したアプリケーション選択画面が表示される。そのため、ユーザが所望のアプリケーションをアプリケーション選択画面から簡単に選択することができなかった。
【０００７】
そこで、本発明の目的は、アプリケーション選択画面を表示する際、現在制御中の機能部に応じて、アプリケーションの選択画面に表示するアプリケーションの表示順序を変更する車載装置を提供することである。
【課題を解決するための手段】
【００１３】
また、上記課題を解決する為に、本発明の車載装置は、予め内蔵された複数の機能部を制御する制御部と、ユーザによりインストールされ、前記各機能部の制御時に利用する可能性の度合いを示す関連度を含んだ複数のアプリケーションを記憶する携帯装置と接続可能な外部接続インタフェースと、前記携帯装置に記憶された前記アプリケーションを実行するアプリケーション実行部と、を備える車載装置であって、前記外部接続インタフェースに前記携帯装置が接続されているか否かを検出する携帯装置検出部と、前記携帯装置検出部により前記携帯装置を検出したとき、前記携帯装置から前記複数のアプリケーションに含まれる関連度を読み出して記憶する記憶部と、前記制御部で制御されている機能部の制御画面を表示する表示部と、少なくとも前記携帯装置に記憶された前記複数のアプリケーションの選択画面表示を指示する操作部と、前記制御画面表示中に、前記操作部より前記携帯装置に記憶する前記複数のアプリケーションの選択画面表示が指示されたとき、前記制御画面を表示している機能部に対する関連度を前記記憶部から取得し、該機能部に対する関連度が高いアプリケーションを優先表示するアプリケーション選択画面を生成する画面生成部と、前記アプリケーション選択画面を前記表示部に表示する表示制御部と、を備えている。
【００１４】
ここで、前記複数のアプリケーションには、アイコンデータが含まれており、前記前記アプリケーション選択画面は、前記携帯装置に記憶される前記各アプリケーションに対するアイコンの配列で表わされるように構成してもよい。
【００１５】
ここで、前記画面生成部において、ユーザ操作に応じて順次表示される複数のページから構成された前記アプリケーション選択画面を生成すると共に、該機能部に対する関連度が高いアプリケーションのアイコンを第１番目に表示されるページに配列し、関連度が低いアプリケーションのアイコンを、第２番目以降に表示されるページに配列するように構成してもよい。
【００１６】
または、前記画面生成部において、ユーザ操作に応じて順次表示される複数のページから構成された前記アプリケーション選択画面を生成すると共に、該機能部に対する関連度が高いアプリケーションのアイコンを各ページに設けた所定の領域に共通に配置し、関連度が低いアプリケーションのアイコンを、各ページの前記所定の領域以外の領域に配列するように構成してもよい。
【発明の効果】
【００１７】
本発明によれば、アプリケーション選択画面を表示する際、現在表示制御中の機能部に応じて、アプリケーションの選択画面に表示するアプリケーションの表示順序を変更することで、ユーザは、所望のアプリケーションを簡単に選択することができる。
【図面の簡単な説明】
【００１８】
【図１】実施例１に係るサーバの構成図である。
【図２】サーバに記憶されているアプリケーションの記憶例を示す図である。
【図３】アプリケーションの構成を示す図である。
【図４】実施例１に係る車載装置の構成図である。
【図５】ナビゲーション部の制御画面の表示例を示す図である。
【図６】オーディオ部の制御画面の表示例を示す図である。
【図７】運転支援部の制御画面の表示例を示す図である。
【図８】放送受信部の制御画面の表示例を示す図である。
【図９】アプリケーション実行画面の表示例を示す図である。
【図１０】アプリケーション記憶部に記憶されているアプリケーションの記憶例を示す図である。
【図１１】実施例１に係るインストール処理のフローチャートである。
【図１２】アプリケーション一覧画面の表示例を示す図である。
【図１３】実施例１に係るアプリケーション選択画面表示処理のフローチャートである。
【図１４】ナビゲーション部の制御時に表示するアプリケーション選択画面の表示例を示す図である。
【図１５】オーディオ部の制御時に表示するアプリケーション選択画面の表示例を示す図である。
【図１６】アプリケーションの実行時に表示するアプリケーション選択画面の表示例を示す図である。
【図１７】関連度管理テーブルの例を示す図である。
【図１８】実施例２に係る車載装置の構成図である。
【図１９】実施例２に係る携帯装置の構成図である。
【図２０】実施例２に係る関連度管理テーブルの生成処理を示すフローチャートである。
【図２１】実施例２に係るアプリケーション選択画面表示処理のフローチャートである。
【発明を実施するための形態】
【００１９】
本発明の実施の形態に係る車載装置について、図面を参照して詳細に説明する。本発明に好ましい実施の形態として、本発明に係る車載装置は、機能部として、ナビゲーション部、オーディオ部、運転支援部、放送受信部が予め備えられている車載装置として利用される例を説明する。
【実施例１】
【００２０】
図１は、実施例１に係るサーバ１の構成を示した図である。
サーバ１は、通信部１０１、サーバ制御部１０２、アプリケーション記憶部１０３により構成される。
【００２１】
通信部１０１は、ネットワーク２に接続可能であり、後述する車載装置３とネットワーク２を介してデータ通信を行うことができる。
【００２２】
サーバ制御部１０２は、車載装置３から、サーバ１に記憶するアプリケーションの一覧画面の送信要求を受信すると、後述するアプリケーション記憶部１０３に記憶しているアプリケーションの一覧画面を生成し、それを車載装置３に送信する。また、サーバ制御部１０２は、車載装置３から、アプリケーションのインストール要求を受信すると、アプリケーション記憶部１０３から該当するアプリケーションを取得し、ネットワーク２を介して、車載装置３に送信する。
【００２３】
アプリケーション記憶部１０３は、複数のアプリケーションを記憶する（図２）。なお、アプリケーションは、アプリケーションの名称を示すアプリケーション名、アプリケーションのバージョン、アプリケーションの使用容量を示すアプリケーションサイズ、アプリケーションのイメージデータであるアイコンデータ、車載装置３に内蔵される各機能部の制御時に利用する可能性の度合いを示す関連度等の情報を記憶するヘッダ情報領域と、アプリケーションのソースコードを記憶するデータ領域とから構成される（図３）。
本実施例では、この関連度の指標として、下限値「０」から上限値「１０」までの増分「１」の整数（数値が高いと関連性が強い）を用いて説明するが、これに限らず、関連度の指標の下限値、上限値、増分の組み合わせは自由である。
【００２４】
図４は、実施例１に係る車載装置３の構成を示した図である。
車載装置３は、その機能構成として、ナビゲーション部４１、オーディオ部４２、運転支援部４３、放送受信部４４、アプリケーション記憶部３０１、操作部３０２、表示部３０３、通信部３０４、外部接続インタフェース（以下、外部接続ＩＦ）３０５、制御部３１０と、により構成される。
【００２５】
ナビゲーション部４１は、地図を表示する地図表示機能、目的地や経由地等となる施設や地点を検索する地点検索機能、自車位置から設定した目的地までの推奨経路を計算する経路計算機能、計算した経路に沿って目的地まで誘導する経路誘導機能等を提供し、制御部３１０により制御される。例えば、地図表示機能を利用している場合、自車位置を示すアイコンや自車位置周辺の地図、ＰＯＩ（Ｐｏｉｎｔ  Ｏｆ  Ｉｎｔｅｒｅｓｔ）アイコンなどを配置した地図画面（図５−（Ａ））を生成し、制御部３１０に出力する。また、経路誘導機能を利用している場合、目的地までの推奨経路を強調表示した経路誘導画面（図５−（Ｂ））を生成し、制御部３１０に出力する。
【００２６】
オーディオ部４２は、各種記憶媒体（ＣＤ、ＤＶＤ、ＨＤＤ）（図示しない）などに記憶されている楽曲データを検索して再生する楽曲再生機能を提供し、制御部３１０により制御される。例えば、楽曲再生機能を利用している場合、楽曲再生中の楽曲情報や巻き戻し、一時停止、早送り、楽曲検索などの操作ボタンを配置した楽曲再生画面（図６）を生成し、制御部３１０に出力する。
【００２７】
運転支援部４３は、自動車の背面部に設置されたカメラの映像を表示するバックカメラ表示機能、車両情報（燃料消費量、燃料残量、車速、走行距離など）を基に、燃費を算出して表示する燃費表示機能、走行情報（ハンドル操作、アクセル操作、ブレーキ操作など）を基に、ユーザ（ドライバー）の運転能力を評価する運転評価機能を提供し、制御部３１０により制御される。例えば、バックカメラ表示機能を利用している場合、自動車の背面部（リアナンバープレート付近）に取り付けられたカメラにより撮影された画像からバックカメラ表示画面（図７）を生成し、制御部３１０に出力する。
【００２８】
放送受信部４４は、放送局から発せされる放送電波を受信し、音声・映像・文字などの情報を提供し、制御部３１０により制御される。例えば、テレビ放送局から発せられる電波を受信し、その電波に含まれる映像（図８）を制御部３１０に出力し、図示しないスピーカを通して音声が出力され、テレビ放送を楽しむ事が出来る。
【００２９】
アプリケーション記憶部３０１は、ＨＤＤ、フラッシュメモリなどの補助記憶装置により構成され、後述するアプリケーションのインストール処理により、複数のアプリケーションが記憶される（図１０）。
【００３０】
操作部３０２は、タッチパネルや操作ボタン、リモコンなどから構成され、ユーザは、表示部３０３に表示される画面を基に、操作部３０２を用いて、車載装置３の操作、設定を行う。具体的には、各機能部の操作、アプリケーションのインストール処理における各種操作、アプリケーション記憶部３０１に記憶しているアプリケーションの選択操作を行うことができる。
【００３１】
表示部３０３は、液晶表示装置で構成され、後述する表示制御部３１１から入力される各種画面を表示する。例えば、ナビゲーション部４１の地図画面や経路誘導画面、オーディオ部４２の楽曲再生画面、運転支援部４３のバックカメラ表示画面、放送受信部４４のテレビ画面、アプリケーションの選択を受け付けるアプリケーション選択画面、アプリケーションの実行画面等を表示する。
【００３２】
通信部３０４は、ネットワーク２と接続可能であり、ネットワーク２を介してサーバ１とデータ通信を行うことができる。なお、通信部３０４は、車載装置３に内蔵された通信装置でも、携帯電話等の通信機能を有する外部通信装置でもよい。
【００３３】
外部接続ＩＦ３０５は、外部機器と接続するためのインタフェースであり、ディスクドライブやＵＳＢメモリやＳＤカードなどの外部記憶装置を接続することができる。
【００３４】
制御部３１０は、車載装置３の全体を制御し、表示制御部３１１、画面生成部３１２、記憶制御部３１３、アプリケーション実行部３１４により構成される。また、制御部３１０は、車載装置３に内蔵される各機能部を制御する。
【００３５】
表示制御部３１１は、表示部３０３に表示する画面を制御する。表示制御部３１１には、各機能部から入力される各種制御画面や、後述する画面生成部３１２が生成するアプリケーション選択画面、後述するアプリケーション実行部３１４で実行中のアプリケーション実行画面、インストール処理によりサーバ１から出力されるアプリケーション一覧画面等がユーザ指示により入力され、そのうちの１画面を表示部３０３に出力する。
【００３６】
画面生成部３１２は、操作部３０２よりアプリケーション記憶部３０１に記憶されたアプリケーションの選択画面表示が指示されると、表示制御部３１１で現在表示制御されている画面を検出し、検出した画面に応じてアプリケーション選択画面を生成する。アプリケーション選択画面表示処理についての詳細は後述する。
【００３７】
記憶制御部３１３は、制御部３１０からサーバ１にアプリケーションのインストール送信要求を送信した後に、サーバ１から送信されるアプリケーションをアプリケーション記憶部３０１に記憶する。
【００３８】
アプリケーション実行部３１４は、操作部３０２よりアプリケーション記憶部３０１に記憶されたアプリケーションの実行指示が入力されると、実行指示されたアプリケーションのソースコードをアプリケーション記憶部３０１から読み出して実行する。なお、アプリケーションの実行画面は、表示制御部３１１にて表示制御される。
例えば、「歌詞検索」のアプリケーションを実行すると、アプリケーション実行部３１４は、アプリケーション記憶部３０１から「歌詞検索」アプリケーションのソースコードを読み出して実行する。その結果、表示制御部３１１の表示制御により、歌詞検索画面（図９）が表示部３０３に表示される。
【００３９】
次に、車載装置３がサーバ１からアプリケーションを取得し、アプリケーション記憶部３０１に記憶するインストール処理について、図１１を用いて説明する。
最初に、ユーザが、車載装置３の操作部３０２を用いて、サーバ１に記憶されているアプリケーションのインストール開始操作を行う（Ｓ１１１）。これにより、車載装置３の制御部３１０は、アプリケーション一覧画面の送信要求を、通信部３０４を介し、サーバ１に送信する（Ｓ１１２）。
【００４０】
サーバ制御部１０２は、サーバ１に送信されたアプリケーション一覧画面の送信要求を受け、アプリケーション記憶部１０３に記憶されたアプリケーションの一覧画面を生成する（Ｓ１１３）。具体的には、サーバ制御部１０２は、アプリケーション記憶部１０３に記憶されたアプリケーションのアイコンデータを取得して配列した一覧画面を生成する。
そして、サーバ制御部１０２は、生成したアプリケーション一覧画面を、通信部１０１を介して、車載装置３に送信する（Ｓ１１４）。車載装置３の表示制御部３１１は、サーバ１から送信されたアプリケーション一覧画面を受信し、表示部３０３に表示する。
【００４１】
ここで、ステップＳ１１１にインストール処理開始操作時に、ユーザが所望するアプリケーションのカテゴリ（ナビゲーション・オーディオ・運転支援・放送受信）を選択させることにより、サーバ１から選択されたカテゴリに該当するアプリケーションの一覧画面を受信して表示するようにしてもよい。なお、図１２は、所望するアプリケーションのカテゴリとして「ナビゲーション」が選択された場合のアプリケーション一覧画面の例である。
【００４２】
そして、ユーザは、このアプリケーション一覧画面より、インストールするアプリケーションのアイコンを選択操作する（Ｓ１１５）。
車載装置３の制御部３１０は、選択したアプリケーションの送信要求を、通信部３０４を介して、サーバ１に送信する（Ｓ１１６）。
【００４３】
サーバ制御部１０２は、車載装置３からアプリケーションの送信要求を受信すると、ステップＳ１１５で選択されたアプリケーションをアプリケーション記憶部１０３から取得し、通信部１０１を介し、車載装置３へ送信する（Ｓ１１７）。車載装置３の記憶制御部３１３は、サーバ１から送信されたアプリケーションを受信し、アプリケーション記憶部３０１に記憶してインストールする（Ｓ１１８）。
例えば、ユーザが、アプリケーション一覧画面（図１２）から「施設口コミ」アプリケーション（ＩＣＯＮ７）を選択すると、サーバ１から「施設口コミ」のアプリケーションデータが記憶制御部３１３に送信され、記憶制御部３１３は、アプリケーション記憶部３０１に記憶してインストールする。
【００４４】
上記のインストール処理を複数回行うことで、図１０のように、アプリケーション記憶部３０１に、複数のアプリケーションを記憶してインストールすることができる。
【００４５】
なお、ここでは、サーバ１からアプリケーションを取得し、アプリケーション記憶部３０１に記憶するインストール処理について記載したが、これに限らず、外部接続ＩＦ３０５に接続された外部記憶装置からアプリケーションを取得し、アプリケーション記憶部３０１に記憶することも可能である。
【００４６】
次に、実施例１に係る車載装置３のアプリケーション選択画面の表示処理について、図１３を用いて説明する。ここで、上記インストール処理（図１１）により、アプリケーション記憶部３０１には、複数のアプリケーションが図１０のように記憶されているとする。
【００４７】
まず、車載装置３において、ユーザが操作部３０２を用いて、アプリケーションの選択画面の表示操作を行う（Ｓ１２１）。例えば、図５〜図９に示す「ＡＰＰ  Ｍｅｎｕ」キー（Ｍ２、Ｍ４、Ｍ６、Ｍ８、Ｍ１０）を操作することで、アプリケーション選択画面の表示操作を行うことが出来る。
操作部３０２は、ユーザからアプリケーション選択画面の表示操作が入力されると、その表示指示を表示制御部３１１に出力する。そして、表示制御部３１１は、この指示に基づいて、現在、表示部３０３に表示している画面が、機能部（ナビゲーション部４１、オーディオ部４２、運転支援部４３、放送受信部４４）の制御画面であるか、アプリケーションの実行画面であるかを判定する（Ｓ１２２）。
【００４８】
このとき、表示制御部３１１が、機能部の制御画面であると判定した場合、この制御画面がどの機能部の制御画面であるかを特定し、特定した機能部を示すデータを画面生成部３１２に出力する。そして、画面生成部３１２は、アプリケーション記憶部３０１から全てのアプリケーションについて、ステップＳ１２２で特定した機能部との関連度を取得する（Ｓ１２３）。次に、画面生成部３１２は、アプリケーション記憶部３０１からアイコンデータとアプリケーション名を取得し（Ｓ１２４）、ステップＳ１２３で取得した関連度が高いアプリケーション順に、アイコンとアプリケーション名を配列したアプリケーション選択画面を生成する（Ｓ１２５）。表示制御部３１１は、この画面を表示部３０３に表示させる（Ｓ１２８）。
【００４９】
具体的には、ユーザが、ナビゲーション部４１の地図表示画面（図５−（Ａ））や経路誘導画面（図５−（Ｂ））を表示中に、「ＡＰＰ  Ｍｅｎｕ」キー（Ｍ２）を押下すると、ステップＳ１２２により、表示制御部３１１は、現在表示部３０３に表示している画面をナビゲーション部４１の制御画面であると特定する。
そして、画面生成部３１２は、ナビゲーション部４１との関連度が高いアプリケーションの順にアイコンとアプリケーション名を配列したアプリケーション選択画面を生成する。
【００５０】
その結果、第１ページに、ナビゲーション部４１との関連度が「１０」である「航空地図」、次に、「８」である「施設口コミ」、次に、「８」である「地域情報検索」、次に、「５」である「ＡＲ  Ｖｉｅｗｅｒ」、次に、「３」である「ＳＮＳ」、次に、「２」である「エコ運転支援」の順にアイコンとアプリケーション名を配列し、第２ページには、「０」である「Ｍｕｓｉｃ  Ｓｔｏｒｅ」、「歌詞検索」、「動画検索」、「番組検索」の順にアイコンとアプリケーション名を配列したアプリケーション選択画面（図１４−（Ａ））が生成され、表示部３０３に表示される。ここで、関連度の値が同じアプリケーションに対して、アプリケーション記憶部３０１に記憶している順序（アプリケーション名順）で配列したが、これに限らず、例えば、他の機能部との関連度を用いて、その他の機能部を含めた関連度の合計値が高い順に配列してもよい。また、各ページに表示可能なアイコンを６個としたが、これに限らず、例えば、３個や１０個でもよく、その値は自由である。
【００５１】
その後、ユーザが、表示部３０３に表示されているアプリケーション選択画面上のアイコンを選択することで、アプリケーション実行部３１４は、選択されたアプリケーションのソースコードをアプリケーション記憶部３０１から読み出して実行する。
また、各ページの切り替えは、前のページに切り替える「Ｐｒｅｖ．」キー、次のページに切り替える「Ｎｅｘｔ」キーを押下することで可能である。また、「Ｃａｎｃｅｌ」キーを押下することで、アプリケーション選択画面の表示を中止し、アプリケーション選択画面表示キー（Ｍ２）を押したときに表示制御していた画面（図５−（Ａ）もしくは図５−（Ｂ））に戻る。
【００５２】
また、ユーザが、オーディオ部４２の楽曲再生画面（図６）を表示中に、「ＡＰＰ  Ｍｅｎｕ」キー（Ｍ４）を押下した場合には、画面生成部３１２は、第１ページに、オーディオ部４２との関連度が「１０」である「Ｍｕｓｉｃ  Ｓｔｏｒｅ」、次に、「１０」である「歌詞検索」、次に、「７」である「動画検索」、次に、「５」である「番組検索」、次に、「３」である「ＳＮＳ」、次に、「０」である「ＡＲ  Ｖｉｅｗｅｒ」の順にアイコンとアプリケーション名を配列し、第２ページには、「０」である「エコ運転支援」、「航空地図」、「施設口コミ」、「地域情報検索」の順にアイコンとアプリケーション名を配列したアプリケーション選択画面（図１５−（Ａ））を生成し、このアプリケーション選択画面は、表示部３０３に表示される。
【００５３】
一方、ステップＳ１２２で表示制御部３１１がアプリケーションの実行画面であると判定した場合、表示制御部３１１は、現在の制御画面が、アプリケーションの実行画面であることを示すデータを画面生成部３１２に出力する。そして、画面生成部３１２は、このデータに基づき、アプリケーション記憶部３０１からアイコンデータとアプリケーション名を取得して（Ｓ１２６）、アプリケーション名の順にアイコンとアプリケーション名を配列したアプリケーション選択画面を生成する（Ｓ１２７）。表示制御部３１１は、このアプリケーション選択画面を表示部３０３に表示させる（Ｓ１２８）。
【００５４】
具体的には、表示部３０３に「歌詞検索」アプリケーションの実行画面（図９）を表示されている状態で、「ＡＰＰ  Ｍｅｎｕ」キー（Ｍ１０）を押下すると、表示制御部３１１は、現在表示中の画面が、アプリケーションの実行画面であると判定する。これにより、画面生成部３１２は、アプリケーション記憶部３０１に記憶されているアプリケーション名の順に、アイコンとアプリケーション名を順次配列したアプリケーション選択画面（図１６）を生成し、このアプリケーション選択画面は、表示部３０３に表示される。なお、表示部３０３に表示可能なアプリケーション数（例えば６個）以上のアプリケーション選択画面を表示する場合には、第２ページ以降に順次表示される。
【００５５】
なお、本実施例では、関連度の高い順にアプリケーションのアイコンとアプリケーション名を順次配列したアプリケーション選択画面の例を示したが、これに限らず、その他の例では、図１４−（Ｂ）に示すように、関連度の値が所定値以上のアプリケーションのアイコンとアプリケーション名を第１ページに配列し、そして、残りのアプリケーションのアイコンとアプリケーション名を第２ページ以降に順次配列したアプリケーション選択画面としてもよい。なお、図１４−（Ｂ）では、所定値を「７」としているため、第１ページにはナビゲーション部４１との関連度が「７」以上のアプリケーション（「航空地図」、「施設口コミ」、「地域情報検索」）を関連度の高い順にアイコンとアプリケーション名を順次配列し、第２ページ以降に、その他のアプリケーションを関連度の高い順に順次配列している。
【００５６】
さらに、その他の例では、図１４−（Ｃ）に示すように、各ページに設けた所定の領域９０１に関連度の値が所定値以上のアプリケーションのアプリケーション名とアイコンを共通に配列し、それ以外の領域９０２に残りのアプリケーションのアプリケーション名とアイコンを順次配列したアプリケーション選択画面としてもよい。なお、図１４−（Ｃ）では、所定値を「７」としているため、各ページに設けた所定の領域９０１にナビゲーション部４１との関連度が「７」以上のアプリケーション（「航空地図」、「施設口コミ」、「地域情報検索」）を関連度の高い順にアイコンとアプリケーション名を配列し、それ以外の領域９０２に、その他のアプリケーションを関連度の高い順に順次配列している。
ここで、関連度を「高」の基準として所定値を「７」としているが、これに限らず、「１」から「１０」の範囲で、所定値を変更してもよい。また、この所定値を、操作部３０２を用いて設定出来るようにしてもよい。
【００５７】
本実施例では、図１３に示すアプリケーション選択画面の表示処理では、関連度をアプリケーション記憶部３０１に記憶する各アプリケーションから取得し、アプリケーション選択画面を生成する場合の例を記載したが、アプリケーションのインストール処理において、アプリケーション記憶部３０１にアプリケーションを記憶するときに、アプリケーションからアプリケーション名と関連度を読み出して関連度管理テーブル（図１７）を作成しておき、アプリケーションの選択画面表示が指示されたとき、制御画面を表示している機能部に対する関連度を関連度管理テーブルから取得し、この機能部に対する関連度が高いアプリケーションを優先表示するアプリケーション選択画面を生成することもできる。このとき、関連度管理テーブルの各関連度は、ユーザ操作によって編集することができる。
【００５８】
上記の構成と処理により、現在表示中の制御画面に応じて、アプリケーション選択画面に表示するアプリケーションの表示順序を変更することが可能となり、ユーザは所望のアプリケーションをアプリケーション選択画面から簡単に選択することができる。
【実施例２】
【００５９】
図１８は、実施例２に係る車載装置の構成を示した図である。また、本車載装置３は、後述する携帯装置６と接続可能であり、携帯装置６には、図１０に示す複数のアプリケーションが記憶されているものとして説明する。
なお、実施例１に示す車載装置３と同じ構成要素については、同じ符号を付してその説明を省略する。
【００６０】
車載装置３は、その機能構成として、ナビゲーション部４１、オーディオ部４２、運転支援部４３、放送受信部４４、操作部５０２、表示部３０３、外部接続ＩＦ５０５、関連度記憶部５０６、制御部５１０と、により構成される。
【００６１】
操作部５０２は、タッチパネルや操作ボタン、リモコンなどから構成され、ユーザは、表示部３０３に表示される画面を基に、操作部５０２を用いて、車載装置３の操作、設定を行う。具体的には、各機能部の操作、携帯装置６に記憶しているアプリケーションの選択操作を行うことができる。
【００６２】
外部接続ＩＦ５０５は、携帯装置６を接続することができ、携帯装置６とデータ通信を行うことができる。この外部接続ＩＦ５０５は、携帯装置６が接続されると、接続されたことを制御部５１０に出力する。Ｂｌｕｅｔｏｏｔｈ（登録商標）やＷｉＦｉなどの無線通信もしくは、ＵＳＢやＩＥＥＥ１３９４などの有線通信により、データ通信を行うものである。
【００６３】
関連度記憶部５０６は、携帯装置６に記憶されているアプリケーションのアプリケーション名と各機能部との関連度を記憶した関連度管理テーブルを記憶する。この関連度管理テーブルの生成処理については後述する。
【００６４】
制御部５１０は、車載装置３の全体を制御し、表示制御部５１１、画面生成部５１２、アプリケーション実行部５１４により構成される。また、制御部５１０は、車載装置３に内蔵される各機能部を制御する。
【００６５】
表示制御部５１１は、表示部３０３に表示する画面を制御する。表示制御部５１１には、各機能部から入力される各種制御画面や、後述する画面作成部５１２が生成するアプリケーション選択画面、後述するアプリケーション実行部５１４で実行中のアプリケーション実行画面等がユーザ指示により入力され、そのうちの１画面を表示部３０３に出力する。
【００６６】
画面生成部５１２は、操作部５０２より、携帯装置６に記憶されたアプリケーションの選択画面表示が指示されると、表示制御部５１１で現在表示制御されている画面を検出し、検出した画面に応じてアプリケーション選択画面を生成する。アプリケーション選択画面の表示処理についての詳細は後述する。
【００６７】
アプリケーション実行部５１４は、操作部５０２より携帯装置６に記憶されたアプリケーションの実行指示が入力されると、実行指示されたアプリケーションのソースコードを携帯装置６から読み出して実行する。なお、アプリケーションの実行画面は、表示制御部５１１にて表示制御される。
【００６８】
続いて、実施例２に係る携帯装置６の構成を、図１９を用いて説明する。
【００６９】
外部接続ＩＦ６０１は、本発明の実施例２に係る車載装置３や図示しないＰＣと接続することが可能であり、これらの装置と、データ通信を行うことができる。Ｂｌｕｅｔｏｏｔｈ（登録商標）やＷｉＦｉなどの無線通信もしくは、ＵＳＢやＩＥＥＥ１３９４などの有線通信により、データ通信を行うものである。
【００７０】
アプリケーション記憶部６０２は、フラッシュメモリなどの補助記憶装置により構成され、複数のアプリケーションを記憶する。このアプリケーションは、携帯装置６の外部接続ＩＦ６０１にＰＣを接続し、接続したＰＣからインストールすることで、記憶することができる。
【００７１】
操作部６０３は、タッチパネルや操作ボタンなどから構成され、ユーザは、後述する表示部６０４に表示される画面を基に、操作部６０３を用いて、携帯装置６の操作、設定を行う。
【００７２】
表示部６０４は、液晶表示装置で構成され、アプリケーション記憶部６０２に記憶されたアプリケーションの実行画面等を表示する。
【００７３】
制御部６０５は、携帯装置６の全体を制御し、操作部６０３からアプリケーション記憶部６０２に記憶するアプリケーションの実行操作が入力されると、アプリケーション記憶部６０２に記憶するアプリケーションからソースコードを読み出し実行し、表示部６０４にアプリケーション実行画面を表示する。また、車載装置３から出力される各種要求に応じて、アプリケーション記憶部６０２からアプリケーションやアプリケーションが有する情報を読み出し、外部接続ＩＦ６０１を介して、車載装置３に出力する。
【００７４】
例えば、車載装置３から、アプリケーション記憶部６０２に記憶する全てのアプリケーションのアプリケーション名と関連度の出力要求を受けると、アプリケーションからアプリケーション名と関連度を取得し、外部接続ＩＦ６０１を介し、車載装置３の制御部５１０に出力する。また、車載装置３から、アプリケーション記憶部６０２に記憶する全てのアプリケーションのアイコンデータとアプリケーション名の出力要求を受けると、アプリケーションからアイコンデータとアプリケーション名を取得し、外部接続ＩＦ６０１を介し、車載装置３の画面生成部５１２に出力する。また、車載装置３のアプリケーション選択画面から、ユーザがアプリケーションを選択すると、車載装置３の制御部５１０から、選択されたアプリケーションのソースコードの出力要求が出され、アプリケーションからソースコードを取得し、外部接続ＩＦ６０１を介し、車載装置３のアプリケーション実行部５１４に出力する。
【００７５】
次に、実施例２に係る車載装置３の関連度テーブル生成処理について、図２０を用いて説明する。
【００７６】
外部接続ＩＦ５０５は、携帯装置６が接続されると、制御部５１０に携帯装置６が接続された事を出力する（Ｓ２１１）。そして、制御部５１０は、アプリケーション名と関連度の出力要求を、外部接続ＩＦ５０５を介して、携帯装置６に送信する（Ｓ２１２）。
【００７７】
携帯装置６の制御部６０５は、この出力要求を受け、アプリケーション記憶部６０２に記憶している全てのアプリケーションから、アプリケーション名と関連度を取得する（Ｓ２１３）。そして、制御部６０５は、外部接続ＩＦ６０１を介して、車載装置３の制御部５１０に出力する（Ｓ２１４）。
続いて、制御部５１０は、入力されたアプリケーション名と関連度を対応付けた関連度管理テーブル（図１７）を生成し（Ｓ２１５）、作成した関連度管理テーブルを関連度記憶部５０６に記憶する（Ｓ２１６）。
【００７８】
携帯装置６の接続を解除すると、この関連度管理テーブルは消去され、携帯装置６が接続される度に、上記処理により関連度管理テーブルを生成し、携帯装置６の接続が解除されるまで、関連度記憶部５０６に記憶し続ける。
また、この関連度管理テーブルに記憶されている各関連度は、ユーザ操作によって編集することができる。
【００７９】
次に、実施例２に係る車載装置３のアプリケーション選択画面の表示処理について、図２１を用いて説明する。ここで、車載装置３には携帯装置６が接続されており、携帯装置６には、図１０のように複数のアプリケーションが記憶されているものとする。
【００８０】
まず、車載装置３において、ユーザが操作部５０２を用いて、アプリケーションの選択画面の表示操作を行う（Ｓ２２１）。例えば、図５〜図９に示す「ＡＰＰ  Ｍｅｎｕ」キー（Ｍ２、Ｍ４、Ｍ６、Ｍ８、Ｍ１０）を操作することで、アプリケーション選択画面の表示操作を行うことが出来る。
操作部５０２は、ユーザからアプリケーション選択画面の表示操作が入力されると、その表示指示を表示制御部５１１に出力する。そして、表示制御部５１１は、この指示に基づいて、現在、表示部３０３に表示している画面が、機能部（ナビゲーション部４１、オーディオ部４２、運転支援部４３、放送受信部４４）の制御画面であるか、アプリケーションの実行画面であるかを判定する（Ｓ２２２）。
【００８１】
このとき、表示制御部５１１が、機能部の制御画面であると判定した場合、この制御画面がどの機能部の制御画面であるかを特定し、特定した機能部を示すデータを画面生成部５１２に出力する。そして、画面生成部５１２は、関連度記憶部５０６に記憶する関連度管理テーブルから全てのアプリケーションについて、ステップＳ２２２で特定した機能部との関連度を取得する（Ｓ２２３）。
【００８２】
次に、画面生成部５１２は、外部接続ＩＦ５０５を介し、携帯装置６の制御部６０５にアイコンデータとアプリケーション名を出力するように要求する。制御部６０５は、この要求を受け、アプリケーション記憶部６０２からアイコンデータとアプリケーション名を取得し、外部接続ＩＦ６０１を介し、画面生成部５１２に出力する。画面生成部５１２は、これらアイコンデータとアプリケーション名を取得し（Ｓ２２４）、ステップＳ２２３で取得した関連度が高いアプリケーション順に、アイコンとアプリケーション名を配列したアプリケーション選択画面を生成する（Ｓ２２５）。表示制御部５１１は、この画面を表示部３０３に表示させる（Ｓ２２８）。
【００８３】
具体的には、ユーザが、ナビゲーション部４１の地図表示画面（図５−（Ａ））や経路誘導画面（図５−（Ｂ））を表示中に、「ＡＰＰ  Ｍｅｎｕ」キー（Ｍ２）を押下すると、ステップＳ２２２により、表示制御部５１１は、現在表示部３０３に表示している画面をナビゲーション部４１の制御画面であると特定する。
そして、画面生成部５１２は、ナビゲーション部４１との関連度が高いアプリケーションの順にアイコンとアプリケーション名を配列したアプリケーション選択画面を生成する。
【００８４】
その結果、第１ページに、ナビゲーション部４１との関連度が「１０」である「航空地図」、次に、「８」である「施設口コミ」、次に、「８」である「地域情報検索」、次に、「５」である「ＡＲ  Ｖｉｅｗｅｒ」、次に、「３」である「ＳＮＳ」、次に、「２」である「エコ運転支援」の順にアイコンとアプリケーション名を配列し、第２ページには、「０」である「Ｍｕｓｉｃ  Ｓｔｏｒｅ」、「歌詞検索」、「動画検索」、「番組検索」の順にアイコンとアプリケーション名を配列したアプリケーション選択画面（図１４−（Ａ））が生成され、表示部３０３に表示される。ここで、関連度の値が同じアプリケーションに対して、関連度管理テーブルに記憶している順序（アプリケーション名順）で配列したが、これに限らず、例えば、他の機能部との関連度を用いて、その他の機能部を含めた関連度の合計値が高い順に配列してもよい。また、各ページに表示可能なアイコンを６個としたが、これに限らず、例えば、３個や１０個でもよく、その値は自由である。
【００８５】
その後、ユーザが、表示部３０３に表示されているアプリケーション選択画面上のアイコンを選択することで、アプリケーション実行部５１４は、外部接続ＩＦ５０５を介し、携帯装置６の制御部６０５に、選択されたアプリケーションのソースコードを出力するよう要求する。そして、制御部６０５は、この出力要求を受け、アプリケーション記憶部６０２から、ソースコードを取得する。取得したソースコードは、外部接続ＩＦ６０１を介し、車載装置３のアプリケーション実行部５１４に出力され、アプリケーション実行部５１４が、このソースコードを読み込むことで、選択されたアプリケーションが実行される。
【００８６】
また、各ページの切り替えは、前のページに切り替える「Ｐｒｅｖ．」キー、次のページに切り替える「Ｎｅｘｔ」キーを押下することで可能である。また、「Ｃａｎｃｅｌ」キーを押下することで、アプリケーション選択画面の表示を中止し、アプリケーション選択画面表示キー（Ｍ２）を押したときに表示制御していた画面（図５−（Ａ）もしくは図５−（Ｂ））に戻る。
【００８７】
また、ユーザが、オーディオ部４２の楽曲再生画面（図６）を表示中に、「ＡＰＰ  Ｍｅｎｕ」キー（Ｍ４）を押下した場合には、画面生成部５１２は、第１ページに、オーディオ部４２との関連度が「１０」である「Ｍｕｓｉｃ  Ｓｔｏｒｅ」、次に、「１０」である「歌詞検索」、次に、「７」である「動画検索」、次に、「５」である「番組検索」、次に、「３」である「ＳＮＳ」、次に、「０」である「ＡＲ  Ｖｉｅｗｅｒ」の順にアイコンとアプリケーション名を配列し、第２ページには、「０」である「エコ運転支援」、「航空地図」、「施設口コミ」、「地域情報検索」の順にアイコンとアプリケーション名を配列したアプリケーション選択画面（図１５−（Ａ））を生成し、このアプリケーション選択画面は、表示部３０３に表示される。
【００８８】
一方、ステップＳ２２２で表示制御部５１１がアプリケーションの実行画面であると判定した場合、表示制御部５１１は、現在の制御画面が、アプリケーションの実行画面であることを示すデータを画面生成部５１２に出力する。そして、画面生成部５１２は、このデータを受け、外部接続ＩＦ５０５を介し、制御部６０５にアイコンデータとアプリケーション名を出力するように要求する。制御部６０５は、この出力要求を受け、アプリケーション記憶部６０２からアイコンデータとアプリケーション名を取得して、外部接続ＩＦ６０１を介し、画面生成部５１２に出力する。制御部５１２は、これらアイコンデータとアプリケーション名を取得し（Ｓ２２６）、アプリケーション名の順にアイコンとアプリケーション名を配列したアプリケーション選択画面を生成する（Ｓ２２７）。表示制御部５１１は、このアプリケーション選択画面を表示部３０３に表示させる（Ｓ２２８）。
【００８９】
具体的には、表示部３０３に「歌詞検索」アプリケーションの実行画面（図９）を表示されている状態で、「ＡＰＰ  Ｍｅｎｕ」キー（Ｍ１０）を押下すると、表示制御部５１１は、現在表示中の画面が、アプリケーションの実行画面であると判定する。これにより、画面生成部５１２は、関連度管理テーブルに記憶されているアプリケーション名の順に、アイコンとアプリケーション名を順次配列したアプリケーション選択画面（図１６）を生成し、このアプリケーション選択画面は、表示部３０３に表示される。なお、表示部３０３に表示可能なアプリケーション数（例えば６個）以上のアプリケーション選択画面を表示する場合には、第２ページ以降に順次表示される。
【００９０】
なお、本実施例では、関連度の高い順にアプリケーションのアイコンとアプリケーション名を順次配列したアプリケーション選択画面の例を示したが、これに限らず、その他の例では、図１４−（Ｂ）に示すように、関連度の値が所定値以上のアプリケーションのアイコンとアプリケーション名を第１ページに配列し、そして、残りのアプリケーションのアイコンとアプリケーション名を第２ページ以降に順次配列したアプリケーション選択画面としてもよい。なお、図１４−（Ｂ）では、所定値を「７」としているため、第１ページにはナビゲーション部４１との関連度が「７」以上のアプリケーション（「航空地図」、「施設口コミ」、「地域情報検索」）を関連度の高い順にアイコンとアプリケーション名を順次配列し、第２ページ以降に、その他のアプリケーションを関連度の高い順に順次配列している。
【００９１】
さらに、その他の例では、図１４−（Ｃ）に示すように、各ページに設けた所定の領域９０１に関連度の値が所定値以上のアプリケーションのアプリケーション名とアイコンを共通に配列し、それ以外の領域９０２に残りのアプリケーションのアプリケーション名とアイコンを順次配列したアプリケーション選択画面としてもよい。なお、図１４−（Ｃ）では、所定値を「７」としているため、各ページに設けた所定の領域９０１にナビゲーション部４１との関連度が「７」以上のアプリケーション（「航空地図」、「施設口コミ」、「地域情報検索」）を関連度の高い順にアイコンとアプリケーション名を配列し、それ以外の領域９０２に、その他のアプリケーションを関連度の高い順に順次配列している。
ここで、関連度を「高」の基準として所定値を「７」としているが、これに限らず、「１」から「１０」の範囲で、所定値を変更してもよい。また、この所定値を、操作部３０２を用いて設定出来るようにしてもよい。
【００９２】
上記の構成と処理により、携帯装置に記憶されたアプリケーションを実行する為の選択画面において、現在表示中の制御画面に応じて、アプリケーション選択画面に表示するアプリケーションの表示順序を変更することが可能となり、ユーザは所望のアプリケーションをアプリケーション選択画面から簡単に選択することができる。
【符号の説明】
【００９３】
１  サーバ
２  ネットワーク
３  車載装置
６  携帯装置
４１  ナビゲーション部
４２  オーディオ部
４３  運転支援部
４４  放送受信部
１０１  通信部
１０２  サーバ制御部
１０３、３０１、６０２  アプリケーション記憶部
３０２、５０２、６０３  操作部
３０３、６０４  表示部
３０４  通信部
３０５、５０５、６０１  外部接続インタフェース
３１０、５１０、６０５  制御部
３１１、５１１  表示制御部
３１２、５１２  画面生成部
３１３  記憶制御部
３１４、５１４  アプリケーション実行部
５０６  関連度記憶部
Ｍ２、Ｍ４、Ｍ６、Ｍ８、Ｍ１０  アプリケーション選択画面表示キー
【図１】
0005725504.tif 000002
【図２】
0005725504.tif 000003
【図３】
0005725504.tif 000004
【図４】
0005725504.tif 000005
【図５】
0005725504.tif 000006
【図６】
0005725504.tif 000007
【図７】
0005725504.tif 000008
【図８】
0005725504.tif 000009
【図９】
0005725504.tif 000010
【図１０】
0005725504.tif 000011
【図１１】
0005725504.tif 000012
【図１２】
0005725504.tif 000013
【図１３】
0005725504.tif 000014
【図１４】
0005725504.tif 000015
【図１５】
0005725504.tif 000016
【図１６】
0005725504.tif 000017
【図１７】
0005725504.tif 000018
【図１８】
0005725504.tif 000019
【図１９】
0005725504.tif 000020
【図２０】
0005725504.tif 000021
【図２１】
0005725504.tif 000022